(57)【要約】      （修正有）【課題】光透過部材が筐体またはカバー部材から外れることなく防塵性能を維持することができる光走査装置を提供する。【解決手段】光走査装置６は、光ビームＬを出射する光源と、光源から出射された光ビームが感光体の表面を走査するように光ビームを偏向する偏向手段６１と、光源が取り付けられ、偏向手段を内部に保持する筐体９０と、筐体を閉じるカバー部材９１と、筐体またはカバー部材に設けられた開口部９０ａを閉じるとともに光ビームを感光体へ向けて通過させる光透過部材６７と、光透過部材を筐体またはカバー部材に固定する固定部材８１と、光透過部材の全周において光透過部材と筐体またはカバー部材との両方に当接して圧縮される圧縮部材１０２と、を備える。【選択図】図１
2016099364.tif 000002
【特許請求の範囲】
【請求項１】
光走査装置であって、
光ビームを出射する光源と、
前記光源から出射された前記光ビームが感光体の表面を走査するように前記光ビームを偏向する偏向手段と、
前記光源が取り付けられ、前記偏向手段を内部に保持する筐体と、
前記筐体を閉じるカバー部材と、
前記筐体または前記カバー部材に設けられた開口部を閉じるとともに前記光ビームを前記感光体へ向けて通過させる光透過部材と、
前記光透過部材を前記筐体または前記カバー部材に固定する固定部材と、
前記光透過部材の全周において前記光透過部材と前記筐体または前記カバー部材との両方に当接して圧縮される圧縮部材と、
を備えた光走査装置。
【請求項２】
前記固定部材は、前記光透過部材の前記全周または一部において前記光透過部材を前記筐体または前記カバー部材に固定する請求項１に記載の光走査装置。
【請求項３】
前記固定部材は、両面テープまたは接着剤である請求項１又は２に記載の光走査装置。
【請求項４】
前記圧縮部材は、前記光走査装置が支持体に取り付けられたときに前記光走査装置を支持する前記支持体により圧縮される請求項１乃至３のいずれか一項に記載の光走査装置。
【請求項５】
前記圧縮部材は、粘着剤により前記支持体に固定されている請求項４に記載の光走査装置。
【請求項６】
前記圧縮部材は、粘着剤により前記光透過部材と前記筐体または前記カバー部材との両方に固定されている請求項１乃至４のいずれか一項に記載の光走査装置。
【請求項７】
移動可能な光透過部材と、
前記移動可能な光透過部材を案内するガイド部材と、
を更に備え、
前記圧縮部材は、前記ガイド部材に挿入された前記移動可能な光透過部材により圧縮される請求項１乃至３のいずれか一項に記載の光走査装置。
【請求項８】
前記圧縮部材は、独立気泡発泡体またはゴム部材により形成されている請求項１乃至７のいずれか一項に記載の光走査装置。
【請求項９】
前記圧縮部材は、連続気泡発泡体により形成されている請求項６に記載の光走査装置。
【請求項１０】
感光体を有し、記録媒体に画像を形成する画像形成部と、
前記感光体に光ビームを出射する請求項１乃至９のいずれか一項に記載の光走査装置と、
を備えた画像形成装置。
【発明の詳細な説明】
【技術分野】
【０００１】
本発明は、開口部に光透過部材が設けられた光走査装置に関する。
【背景技術】
【０００２】
光走査装置は、レーザービームプリンタやデジタル複写機等の画像形成装置に用いられている。光走査装置は、ミラー、レンズ等の光学素子を収容する光学ハウジングと、光学ハウジングを閉じるカバー部材とを有している。光走査装置は、光ビームを通過させる開口部が設けられている。光走査装置の外部から侵入する塵埃により光学素子が汚れないように、開口部は、防塵ガラスにより閉じられている。防塵ガラスは、ほぼ全周が接着剤により光学ハウジングに固定されている（特許文献１）。
【先行技術文献】
【特許文献】
【０００３】
【特許文献１】特開２００９−２７１４５６号公報
【発明の概要】
【発明が解決しようとする課題】
【０００４】
従来、レンズ、ミラー、回転多面鏡等の光学素子に付着して画像不良を発生させる原因は、直径数μｍの画像形成装置内で飛散しているトナーや数十μｍのケバであることが多かった。しかし、近年、所謂大気エアロゾル粒子の中でも粒径が１μｍ以下の浮遊粒子が大気中に増加している。この浮遊粒子が光走査装置の内部へ侵入することにより、光学素子を汚損し画像不良を発生させることが多くなっている。
【０００５】
微小な粒子の侵入を防ぐために、防塵ガラスの全周またはほぼ全周において防塵ガラスを接着剤により光学ハウジングに固定する方法がある。この方法は、防塵性能を向上する観点から好ましい。しかし、光学ハウジングと防塵ガラスの線膨張係数の差に従って光学ハウジングと防塵ガラスの熱変形量が異なるので、熱変形量の差により発生する力で接着剤が破損し、防塵ガラスが光学ハウジングから剥がれるおそれがある。
【０００６】
そこで、本発明は、光透過部材が筐体またはカバー部材から外れることなく防塵性能を維持することができる光走査装置を提供する。
【課題を解決するための手段】
【０００７】
上記課題を解決するために、本発明による光走査装置は、
光ビームを出射する光源と、
前記光源から出射された前記光ビームが感光体の表面を走査するように前記光ビームを偏向する偏向手段と、
前記光源が取り付けられ、前記偏向手段を内部に保持する筐体と、
前記筐体を閉じるカバー部材と、
前記筐体または前記カバー部材に設けられた開口部を閉じるとともに前記光ビームを前記感光体へ向けて通過させる光透過部材と、
前記光透過部材を前記筐体または前記カバー部材に固定する固定部材と、
前記光透過部材の全周において前記光透過部材と前記筐体または前記カバー部材との両方に当接して圧縮される圧縮部材と、
を備える。
【発明の効果】
【０００８】
本発明によれば、光透過部材が筐体またはカバー部材から外れることなく光走査装置の防塵性能を維持することができる。
【図面の簡単な説明】
【０００９】
【図１】実施例１の光走査装置の概略断面図。
【図２】実施例１の光走査装置の概略斜視図。
【図３】実施例１の開口部の側から見た光走査装置の概略斜視図。
【図４】実施例１の変形例の両面テープを用いた光走査装置の概略斜視図。
【図５】実施例１の変形例の接着剤を用いた光走査装置の概略斜視図。
【図６】実施例１の光走査装置を載置するためのステーの斜視図。
【図７】実施例１の光走査装置とステーの分解斜視図。
【図８】図１の円で囲んだ部分VIIIの拡大図。
【図９】両面テープを使用した場合の防塵ガラスの周辺の寸法を示す図。
【図１０】接着剤を使用した場合の防塵ガラスの周辺の寸法を示す図。
【図１１】実施例２の開口部の側から見た光走査装置の概略斜視図。
【図１２】光学ハウジングとステーとの間に配置された圧縮部材の断面図。
【図１３】実施例３の開口部の側から見た光走査装置の概略斜視図。
【図１４】実施例３の開口部の側から見た光走査装置の概略斜視図。
【図１５】実施例３の開口部の側から見た光走査装置の概略斜視図。
【図１６】実施例３の光走査装置の概略断面図。
【図１７】画像形成装置の断面図。
【発明を実施するための形態】
【００１０】
以下、図面を参照して、本発明を実施するための形態を例示的に説明する。
【実施例１】
【００１１】
（画像形成装置）
図１７は、画像形成装置１の断面図である。本発明の実施の形態の一例を示す画像形成装置１は、電子写真画像形成プロセスを用いて記録媒体Ｓに画像を形成するデジタル複写機である。しかし、画像形成装置１は、例えば、アナログ複写機、電子写真プリンタ（例えばカラーレーザビームプリンタ）、ＭＦＰ（複合機）、ファクシミリ装置、印刷機又はワードプロセッサでもよい。本実施例の画像形成装置１は、モノクロ画像形成装置であるが、画像形成装置１は、カラー画像形成装置でもよい。画像形成装置１は、画像読取部（読み取り光学系）２、画像形成部３、定着器４、原稿搬送部５、光走査装置６及び記録媒体搬送部７を備える。
【００１２】
原稿搬送部５は、原稿Ｐが積載される原稿トレー５２及び原稿トレー５２から原稿台ガラス２０へ原稿を搬送する原稿搬送手段５１を有する。原稿搬送部５は、原稿トレー５２上の原稿Ｐを原稿台ガラス２０へ搬送する。原稿台ガラス２０の上に載置された原稿Ｐ１は、複写開始司令手段（不図示）からの指令信号に応じて、画像読取部２により読み取られる。原稿Ｐ１の画像は、原稿読取部２により画像信号へ変換される。画像信号は、デジタル処理部（不図示）へ入力される。デジタル処理部は、画像信号をデジタルデータへ変換し、デジタルデータに必要なデータ処理を施す。処理されたデジタルデータは、画像データとしてデジタル処理部からビデオ変換部（不図示）へ出力される。ビデオ変換部は、画像データをビデオ信号へ変換し、ビデオ信号を光走査装置６へ出力する。光走査装置６は、ビデオ信号に基づいてレーザ光（以下、光ビームという。）Ｌを出力する。
【００１３】
光走査装置６は、偏向手段（偏向器）６１、光源ユニット（光源）６２および光学素子を備える。光走査装置６は、ビデオ変換部からのビデオ信号に基づいて光ビームＬを偏向手段６１へ向けて出力する。光ビームＬは、感光ドラム（感光体）３１上を走査するように変更手段６１により偏向される。光ビームＬは、回転する感光ドラム３１上を繰り返し走査して感光ドラム３１上に潜像を形成する。現像器３２は、感光ドラム３１上の潜像に現像剤（トナー）を付着してトナー像を形成する。
【００１４】
一方、画像形成装置１の下部に配置された給紙カセット１０ａまたは１０ｂ内の転写材（記録媒体）Ｓは、取り込みローラ１２により１枚ずつ給送される。転写材Ｓは、給送ローラ１３及び１４によりレジストローラ１５へ給送される。レジストローラ１５は、感光ドラム３１上のトナー像に同期して、感光ドラム３１と転写帯電器３３との間の転写部へ転写材Ｓを搬送する。転写部において、転写帯電器３３により感光ドラム３１上のトナー像が転写材Ｓへ転写される。その後、転写材Ｓは、搬送部１６により定着器４へ搬送される。定着器４は、転写材Ｓに熱および圧力を加えてトナー像を転写材Ｓに定着させる。画像が形成された転写材Ｓは、排紙ローラ１７及び１８により排紙トレー１９へ排紙される。また、次の転写材Ｓは、先の転写材Ｓに対して一定の間隔をもって同様に搬送され、画像形成プロセスを経た後、排紙トレー１９へ排紙される。
【００１５】
感光ドラム３１上に残ったトナーは、クリーナ３４により除去される。さらに、感光ドラム３１は、除電器３５により除電され、帯電器３６により帯電された後、再び光走査装置６により感光ドラム３１に潜像が形成される。以上のような画像プロセスを行う画像形成装置１に用いられる光走査装置６を以下に説明する。
【００１６】
（光走査装置）
図１は、実施例１の光走査装置６の概略断面図である。図２は、実施例１の光走査装置６の概略斜視図である。光走査装置６は、光学素子を収容する光学ハウジング（筐体）９０と、光学ハウジング９０を閉じるカバー部材９１とからなる。光学ハウジング９０は、樹脂材料により形成されている。光源ユニット６２は、半導体レーザ（不図示）、半導体レーザの駆動電気基板６２ａ、コリメータレンズ鏡筒６２ｂ及びコリメータレンズ６２ｃを有している。半導体レーザから出射された光ビームＬは、コリメータレンズ６２ｃによりほぼ平行な光ビームＬへ変換される。シリンダーレンズ６３は、副走査方向に屈折力を有する。偏向手段６１は、光ビームＬが感光ドラム３１の表面の上を走査するように光ビームＬを偏向する。光ビームＬの偏向は、回転多面鏡（偏向部材）６１ａの回転により行われる。回転多面鏡６１ａは、駆動基板６１ｂ上に実装されたモータ６１ｃにより回転される。駆動基板６１ｂは、モータ６１ｃを駆動するモータ駆動回路が実装されている。トーリックレンズ６４およびシリンダーレンズ６５は、光ビームＬを感光ドラム３１上に所定のスポット径で結像する。トーリックレンズ６４、シリンダーレンズ６５および反射ミラー６６は、走査光学系（光学手段）を構成する光学要素である。光学ハウジング９０は、光源ユニット６２が取り付けられ、偏向手段６１及び走査光学系を内部に保持する。光源ユニット６２、偏向手段６１及び走査光学系のそれぞれの光学要素は、光学ハウジング９０に対して位置決め手段（不図示）により位置決めされ、固定手段により光学ハウジング９０の固定されている。
【００１７】
光学ハウジング９０は、回転多面鏡６１ａによって偏向された光ビームＬを感光ドラム３１へ向けて通過させる開口部９０ａが形成されている。開口部９０ａは、浮遊粒子の侵入を防ぐための防塵ガラス（光透過部材）６７により閉じられている。
【００１８】
（防塵ガラスの取付け）
次に、図１および図３を用いて防塵ガラス６７の取付けについて説明する。図３は、実施例１の開口部９０ａの側から見た光走査装置６の概略斜視図である。開口部９０ａの周囲には、防塵ガラス６７を載置するための溝部９０ｂが設けられている。溝部９０ｂには、開口部９０ａへはみ出さないように開口部９０ａの周囲に沿って両面テープ（固定部材）８１を貼付する。防塵ガラス６７を溝部９０ｂに貼付された両面テープ８１の上に落とし込む。防塵ガラス６７は、両面テープ８１により光学ハウジング９０に固定される。防塵ガラス６７の周囲縁部と溝部９０ｂの側壁との間の隙間は、０〜３ｍｍになるように溝部９０ｂが形成されている。
【００１９】
図３に示す両面テープ８１は、開口部９０ａを囲んで延在していた。しかし、本発明は、これに限定されるものではなく、両面テープ８１は、他の形状を有していていもよい。両面テープの他の形状を図４に示す。図４は、実施例１の変形例の両面テープを用いた光走査装置６の概略斜視図である。開口部９０ａは、光ビームＬが走査される主走査方向に長い矩形状を有している。図４（ａ）に示すように、開口部９０ａの長手方向に沿う溝部９０ｂの一方側部９０ｂ１と他方側部９０ｂ２に、開口部９０ａへはみ出さないように両面テープ８２ａおよび８２ｂをそれぞれ貼付してもよい。図４（ａ）に示す両面テープ８２ａおよび８２ｂは、図３に示す両面テープ８１に比べて貼付時のしわが発生しにくい。また、両面テープ８２ａおよび８２ｂの材料の量は、両面テープ８１の材料の量より少ない。よって、光走査装置６の製造費用を低減することができる。
【００２０】
また、図４（ｂ）に示すように、開口部９０ａの長手方向に沿う溝部９０ｂの一方側部９０ｂ１と他方側部９０ｂ２のそれぞれ２カ所に、開口部９０ａへはみ出さないように両面テープ８３ａ、８３ｂ、８３ｃおよび８３ｄをそれぞれ貼付してもよい。両面テープ８３ａ、８３ｂ、８３ｃおよび８３ｄは、両面テープ８２ａおよび８２ｂに比べて短い。あるいは、図４（ｃ）に示すように、開口部９０ａの長手方向に沿う溝部９０ｂの一方側部９０ｂ１と他方側部９０ｂ２のそれぞれ１カ所に、開口部９０ａへはみ出さないように両面テープ８４ａおよび８４ｂをそれぞれ貼付してもよい。両面テープ８４ａおよび８４ｂは、防塵ガラス６７を保持できる粘着力を生ずる長さを有していればよい。あるいは、図４（ｄ）に示すように、開口部９０ａの長手方向における溝部９０ｂの一方端部９０ｂ３と他方端部９０ｂ４のそれぞれ１カ所に、開口部９０ａへはみ出さないように両面テープ８５ａおよび８５ｂをそれぞれ貼付してもよい。図４（ｂ）、図４（ｃ）及び図４（ｄ）に示す両面テープ８３ａ、８３ｂ、８３ｃ、８３ｄ、８４ａ、８４ｂ、８５ａ及び８５ｂは、図４（ａ）に示す両面テープ８２ａおよび８２ｂに比べて貼付時のしわが発生いにくい。また、両面テープ８３ａ、８３ｂ、８３ｃ、８３ｄ、８４ａ、８４ｂ、８５ａ及び８５ｂの材料の量は、両面テープ８２ａおよび８２ｂの材料の量よりさらに少ない。よって、光走査装置６の製造費用をさらに低減することができる。
【００２１】
図３及び図４において、両面テープは、最初に光学ハウジング９０に貼付したが、防塵ガラス６７に貼付してもよい。光学ハウジング９０への防塵ガラス６７の固定は、両面テープではなく接着剤（固定部材）で行ってもよい。図５は、実施例１の変形例の接着剤８６ａおよび８６ｂを用いた光走査装置の概略斜視図である。図５を参照して、接着剤８６ａおよび８６ｂによる防塵ガラス６７の取付けについて説明する。防塵ガラス６７を溝部９０ｂに落とし込む。開口部９０ａの長手方向に沿う溝部９０ｂの一方側部９０ｂ１と他方側部９０ｂ２のそれぞれの中央部において、短手方向において対向する２ヶ所８６ａ及び８６ｂに接着剤を塗布する。接着剤は、溝部９０ｂからはみ出ないように塗布する。接着剤は、紫外線硬化接着剤、常温で硬化する嫌気性接着剤、シリコン樹脂系接着剤またはエポキシ樹脂系接着剤を使用することができる。
【００２２】
（圧縮部材）
図６は、実施例１の光走査装置を載置するためのステー１０１の斜視図である。ステー（支持体）１０１は、光学ハウジング９０の開口部９０ａを通過した光ビームＬを通過させる開口部１０１ａが設けられている。圧縮部材（弾性密封部材）１０２は、矩形形状をしている。圧縮部材１０２は、幅および長さが防塵ガラス６７よりも大きい。圧縮部材１０２は、光ビームＬを通過させる開口部１０２ａが設けられている。圧縮部材１０２の表面１０２ｂの一部は、光学ハウジング９０に接触する。圧縮部材１０２の裏面１０２ｃは、ステー１０１に接触する。ステー１０１に接触する圧縮部材１０２の裏面１０２ｃに、粘着剤が設けられている。圧縮部材１０２がステー１０１の開口部１０１ａへはみ出さないように、圧縮部材１０２をステー１０１に貼付する。圧縮部材１０２は、光走査装置６が載置されるステー１０１の表面に貼付される。圧縮部材１０２は、発泡セルが非連続（独立気泡発泡体）の発泡ウレタンや低硬度のゴム部材で形成されている。
【００２３】
図７は、実施例１の光走査装置６とステー１０１の分解斜視図である。図７を参照して、ステー１０１に光走査装置６を載置する方法について説明する。ステー１０１を画像形成装置１の本体１００に固定する。光学ハウジング９０は、取付け部９５が設けられている。光走査装置６は、圧縮部材１０２を圧縮する方向（図７の矢印Ｘで示す方向）からステー１０１に載置され、取付け部９５がネジ、弾性部材等の固定部材（不図示）によりステー１０１に取り付けられる。図８は、図１の円で囲んだ部分VIIIの拡大図である。光学ハウジング９０とステー１０１との間の隙間Ａは、圧縮部材１０２の厚さより小さいので、光走査装置６をステー１０１に載置すると圧縮部材１０２が押しつぶされる。感光ドラム３１は、ステー１０１を挟んで光走査装置６の反対側に配置されている。
【００２４】
光走査装置６をステー１０１に載置したとき、圧縮部材１０２の同一面（表面１０２ｂ）は、前記防塵ガラス６７の全周において光学ハウジング９０と防塵ガラス６７の両方に当接し圧縮される。圧縮部材１０２は、光学ハウジング９０と防塵ガラス６７の両方に同一方向から当接して、前記開口部９０ａを密封する。圧縮部材１０２と光学ハウジング９０及び圧縮部材１０２と防塵ガラス６７は、圧縮部材１０２の押圧力（圧縮力）により密着状態になる。圧縮部材１０２は、全周において光学ハウジング９０と防塵ガラス６７の合わせ目を覆う。圧縮部材１０２が光学ハウジング９０に当接し圧縮されることにより、ハウジング９０とステー１０１の間の隙間Ａが密封される。圧縮部材１０２が防塵ガラス６７に当接し圧縮されることにより、防塵ガラス６７とステー１０１の間の隙間Ｂが密封される。防塵ガラス６７を固定する両面テープ８１は、全周において圧縮部材１０２の押圧力により押圧されるので、両面テープ８１の浮きは、解消され、両面テープ８１と防塵ガラス６７及び光学ハウジング９０との間の隙間が低減される。両面テープ８１の隙間の低減と併せて圧縮部材１０２の密封性により、防塵ガラス６７の防塵性が強化される。
【００２５】
図９は、両面テープ８１を使用した場合の防塵ガラス６７の周辺の寸法を示す図である。図９を参照して、防塵ガラス６７の周辺の寸法について説明する。防塵ガラス６７を載置する溝部９０ｂの面から圧縮部材１０２が当接する光学ハウジング９０の面９０ｃまでの距離をｔ１とする。防塵ガラス６７と両面テープ８１（８２ａ、８２ｂ、８３ａ、８３ｂ、８３ｃ、８３ｄ、８４ａ、８４ｂ、８５ａ、８５ｂ）の厚さの合計をｔ２とする。両面テープ８１により防塵ガラス６７を光学ハウジング９０に固定する場合、ｔ１≦ｔ２とする。圧縮部材１０２により防塵ガラス６７に作用する押圧力が大きくなり、両面テープ８１の浮きが解消される。圧縮部材１０２が光学ハウジング９０と防塵ガラス６７との両方に確実に当接するために、ｔ２−ｔ１≦２ｍｍの条件を満たすことが望ましい。
【００２６】
図１０は、接着剤８６ａ及び８６ｂを使用した場合の防塵ガラス６７の周辺の寸法を示す図である。防塵ガラス６７の厚さをｔ３とする。図５に示したように接着剤８６ａ及び８６ｂにより防塵ガラス６７を光学ハウジング９０に固定する場合、−２ｍｍ≦ｔ３−ｔ１≦２ｍｍの条件を満たすことが望ましい。
【００２７】
本実施例によれば、防塵ガラス６７が光学ハウジング９０から外れることなく光走査装置６の防塵性能を維持することができる。本実施例によれば、大気中の微小な浮遊粒子が光走査装置６へ侵入することを防ぐとともに、画像形成装置１の稼働または物流環境による温度変化に関わらず光走査装置６の防塵性能を維持することができる。
【実施例２】
【００２８】
次に、実施例２を説明する。実施例２において、実施例１の構造と同様の構造には、同様の参照符号を付して説明を省略する。実施例２の画像形成装置１及び光走査装置６は、実施例１と同様であるので、説明を省略する。実施例２は、粘着剤が圧縮部材１０３の表面１０３ｂに設けられている点で実施例１と異なる。以下、圧縮部材１０３を説明する。
【００２９】
図１１は、実施例２の開口部９０ａの側から見た光走査装置６の概略斜視図である。図１２は、光学ハウジング９０とステー１０１との間に配置された圧縮部材１０３の断面図である。圧縮部材（弾性密封部材）１０３は、矩形形状をしている。圧縮部材１０３は、幅および長さが防塵ガラス６７よりも大きい。圧縮部材１０３は、光ビームＬを通過させる開口部１０３ａが設けられている。圧縮部材１０３の表面１０３ｂの一部は、光学ハウジング９０に接触する。光学ハウジング９０に接触する圧縮部材１０３の表面１０３ｂに、粘着剤が設けられている。圧縮部材１０３の裏面１０３ｃは、ステー１０１に接触する。
【００３０】
粘着剤が設けられている圧縮部材１０３の表面１０３ｂが防塵ガラス６７の全周において光学ハウジング９０と防塵ガラス６７に当接するように貼付する。圧縮部材１０３の同一面（表面１０３ｂ）は、光学ハウジング９０と防塵ガラス６７の両方に同一方向から当接して、前記開口部９０ａを密封する。光走査装置６をステー１０１に載置すると、圧縮部材１０３の押圧力により、粘着剤が設けられた表面１０３ｂと光学ハウジング９０及び防塵ガラス６７との間の浮きが低減される。圧縮部材１０３と光学ハウジング９０及び圧縮部材１０３と防塵ガラス６７は、圧縮部材１０３の押圧力（圧縮力）により密着状態になる。本実施例においては、圧縮部材１０３と光学ハウジング９０及び防塵ガラス６７との間の隙間（経路）が粘着剤により遮断される。粘着剤により密着性を確保することができるので、防塵ガラス６７の防塵性能は、光学ハウジング９０及び防塵ガラス６７に接触する圧縮部材１０３の表面１０３ｂの界面状態に依存しない。従って、圧縮部材１０３は、発泡セルが連続（連続気泡発泡体）の発泡ウレタンで形成されていてもよい。実施例１と同様に、圧縮部材１０３は、発泡セルが非連続（独立気泡発泡体）の発泡ウレタンフォームや低硬度のゴム部材で形成されていてもよい。
【００３１】
本実施例によれば、防塵ガラス６７が光学ハウジング９０から外れることなく光走査装置６の防塵性能を維持することができる。本実施例によれば、大気中の微小な浮遊粒子が光走査装置６へ侵入することを防ぐとともに、画像形成装置１の稼働または物流環境による温度変化に関わらず光走査装置６の防塵性能を維持することができる。
【実施例３】
【００３２】
次に、実施例３を説明する。実施例３において、実施例１の構造と同様の構造には、同様の参照符号を付して説明を省略する。実施例３の画像形成装置１及び光走査装置６は、実施例１と同様であるので、説明を省略する。実施例３は、移動防塵ガラス１０６を有する点で実施例１及び実施例２と異なる。以下、異なる点を主に説明する。
【００３３】
図１３、図１４および図１５は、実施例３の開口部９０ａの側から見た光走査装置６の概略斜視図である。図１６は、実施例３の光走査装置６の概略断面図である。圧縮部材（弾性密封部材）１０４は、矩形形状をしている。圧縮部材１０４は、幅および長さが防塵ガラス６７よりも大きい。圧縮部材１０４は、光ビームＬを通過させる開口部１０４ａが設けられている。圧縮部材１０４の表面１０４ｂの一部は、光学ハウジング９０に接触する。光学ハウジング９０に接触する圧縮部材１０４の表面１０４ｂに、粘着剤が設けられている。圧縮部材１０４の裏面１０４ｃは、移動防塵ガラス１０６に接触する。
【００３４】
図１３および図１４に示すように、粘着剤が設けられている圧縮部材１０４の表面１０４ｂが防塵ガラス６７の全周において光学ハウジング９０と防塵ガラス６７に当接するように貼付する。圧縮部材１０４の同一面（表面１０４ｂ）は、光学ハウジング９０と防塵ガラス６７の両方に同一方向から当接して、前記開口部９０ａを密封する。後述する移動防塵ガラス（移動可能な光透過部材）１０６を挿抜する際に圧縮部材１０４がめくれることを防止するために、圧縮部材１０４の延長端部１０４ｄは、光学ハウジング９０の側壁９０ｄ上に巻き込むように貼付する。図１４に示すように、ガイド部材１０５は、光ビームＬを通過させる開口部１０５ａが設けられている。ガイド部材１０５は、圧縮部材１０４を覆うように配置される。ガイド部材１０５は、固定部材（不図示）により光学ハウジング９０に固定される。移動防塵ガラス１０６は、ガイド部材１０５に沿って移動可能であり、ガイド部材１０５は、移動防塵ガラス１０６の移動を案内する。
【００３５】
図１５に示すように、移動防塵ガラス１０６をガイド部材１０５に沿って矢印Ｙで示す方向に挿入する。移動防塵ガラス１０６は、保持部材１０６ａと、保持部材１０６ａに保持された平板ガラス１０６ｂとからなる。平板ガラス１０６ｂは、光ビームＬを透過させる。移動防塵ガラス１０６を挿入すると、圧縮部材１０４が移動防塵ガラス１０６により圧縮される。圧縮部材１０４の押圧力により、粘着剤が設けられた表面１０４ｂと光学ハウジング９０及び防塵ガラス６７との間の浮きが低減される。圧縮部材１０４と光学ハウジング９０及び圧縮部材１０４と防塵ガラス６７は、圧縮部材１０４の押圧力（圧縮力）により密着状態になる。本実施例においては、圧縮部材１０４と光学ハウジング９０及び防塵ガラス６７との間の隙間（経路）が粘着剤により遮断される。粘着剤により密着性を確保することができるので、防塵ガラス６７の防塵性能は、光学ハウジング９０及び防塵ガラス６７に接触する圧縮部材１０４の表面１０４ｂの界面状態に依存しない。従って、圧縮部材１０４は、発泡セルが連続（連続気泡発泡体）の発泡ウレタンで形成されていてもよい。実施例１と同様に、圧縮部材１０４は、発泡セルが非連続（独立気泡発泡体）の発泡ウレタンフォームや低硬度のゴム部材で形成されていてもよい。移動防塵ガラス１０６の挿抜時の摺動性を向上させるために摺動性の良いフィルムシートを圧縮部材１０４の裏面１０４ｃに貼付してもよい。
【００３６】
本実施例によれば、防塵ガラス６７が光学ハウジング９０から外れることなく光走査装置６の防塵性能を維持することができる。本実施例によれば、大気中の微小な浮遊粒子が光走査装置６へ侵入することを防ぐとともに、画像形成装置１の稼働または物流環境による温度変化に関わらず光走査装置６の防塵性能を維持することができる。
【００３７】
実施例１、実施例２及び実施例３において、開口部９０ａは、光学ハウジング９０に設けられているが、カバー部材９１に設けられていてもよい。防塵ガラス６７は、開口部を覆うようにカバー部材９１に固定する。光走査装置６は、カバー部材９１の側をステー１０１に取り付けてもよい。開口部をカバー部材９１に設けた場合も、上記実施例と同様の効果を奏することができる。
【００３８】
防塵ガラス６７、合成樹脂により形成される光学ハウジング９０および金属板により形成されるカバー部材９１の線膨張係数が異なることにより、防塵ガラス６７、光学ハウジング９０およびカバー部材９１の熱変形量が異なることがある。しかし、本実施例によれば、圧縮部材１０２、１０３および１０４の変形により、圧縮部材と防塵ガラス、圧縮部材と光学ハウジングまたは圧縮部材とカバー部材の間の密着性を維持することができるので、開口部の防塵性能を維持することができる。
【符号の説明】
【００３９】
６・・・光走査装置
３１・・・感光ドラム（感光体）
６１・・・偏向手段
６２・・・光源ユニット（光源）
６７・・・防塵ガラス（光透過部材）
８１、８２ａ、８２ｂ、８３ａ、８３ｂ、８３ｃ、８３ｄ、８４ａ、８４ｂ、８５ａ
・・・両面テープ（固定部材）
８６ａ、８６ｂ・・・接着剤（固定部材）
９０・・・光学ハウジング（筐体）
９０ａ・・・開口部
９１・・・カバー部材
１０２、１０３、１０４・・・圧縮部材
Ｌ・・・光ビーム
【図１】
2016099364.tif 000003
【図２】
2016099364.tif 000004
【図３】
2016099364.tif 000005
【図４】
2016099364.tif 000006
【図５】
2016099364.tif 000007
【図６】
2016099364.tif 000008
【図７】
2016099364.tif 000009
【図８】
2016099364.tif 000010
【図９】
2016099364.tif 000011
【図１０】
2016099364.tif 000012
【図１１】
2016099364.tif 000013
【図１２】
2016099364.tif 000014
【図１３】
2016099364.tif 000015
【図１４】
2016099364.tif 000016
【図１５】
2016099364.tif 000017
【図１６】
2016099364.tif 000018
【図１７】
2016099364.tif 000019